(57)【要約】【課題】蓋１３の開閉操作が容易で、しかも蓋１３の不用意な開放を防止した墨室開閉構造を有する墨壷を提供する。【解決手段】ケースに開設された墨室１１１の開口部１１１ａを開閉する蓋１３が、ケースに、蓋１３と開口部１１１ａとの間を密封するパッキン１３４の圧縮方向と略直交する前後方向へ往復動可能に結合した結合部１３１を支点として円運動可能に結合され、蓋１３を閉塞状態で結合部１３１の可動方向へ変位させることにより、蓋１３の被係止部１３２が、ケース側の係止部１１３と係合又は係合解除される。被係止部１３２と係止部１１３は、パッキン１３４の圧縮反力によって互いに圧接し、係止状態が維持される。【選択図】  図７
2004230493.tif 000002
【特許請求の範囲】
【請求項１】
ケース内に糸巻及び墨室を有し、墨打ち糸が前記糸巻から前記墨室内の墨汁浸透部材を通って外部へ導出される墨壷において、前記ケースに開設された前記墨室の開口部を開閉する蓋が、前記ケースに、前記蓋と前記開口部との間を密封するパッキンの圧縮方向と略直交する方向へ往復動可能に結合した結合部を支点として、円運動可能に結合され、前記蓋を前記開口部に対する閉塞状態で前記結合部の可動方向へ変位させることにより、前記蓋の自由端部側に設けられた被係止部が、前記ケース側に設けられた係止部と係合又は係合解除されることを特徴とする墨壷の墨室開閉構造。
【請求項２】
蓋の結合部がケースにおける糸繰り出し端部側に偏在し、係止部が前記ケースにおける糸巻側に偏在することを特徴とする請求項１に記載の墨壷の墨室開閉構造。
【発明の詳細な説明】
【０００１】
【発明の属する技術分野】
本発明は、木工あるいは建築における墨打ち作業に使用される墨壷に関し、特にその墨室を開閉させる構造に関するものである。
【０００２】
【従来の技術】
建築作業者等が使用する墨壷は、ケース内に糸巻及び墨室が設けられ、糸巻に巻かれた墨打ち糸が、墨汁を沁み込ませた墨汁浸透部材が充填された墨室内を通って、ケースの一端に形成された糸繰り出し口から外部へ繰り出され、墨打ち糸の先端に、この墨打ち糸を墨打ち起点に止着するためのかるこが繋着された構造を備える。この墨壷を用いた墨打ち作業においては、まず、かるこを墨打ち起点に止着してから、ケースを移動させることによって墨打ち糸を引き出すと、この墨打ち糸には、墨室内を通る過程で、墨汁浸透部材との接触によって墨汁が付着するので、この糸に適当なテンションを与えた状態で、墨打ち対象面に向けて手指ではじくことによって、直線状の墨線を転写することができる。
【０００３】
また、この種の墨壷は、墨汁浸透部材へ墨汁を補充したり、墨汁浸透部材を交換したりするために、墨室を蓋で開閉できるようにしてある。例えば下記の特許文献１には、このような墨壷の典型的な従来技術として、ケースに軸を介して蓋を横開き式に設け、蓋の閉塞状態では、その裏面に周設したパッキンによって墨汁をシールするようにした墨壷が開示されている。
【０００４】
【特許文献１】
特開平１１−２６２８７８（第１図及び第２図）
【０００５】
【発明が解決しようとする課題】
しかしながら、この種の墨壷においては、蓋の自由端部とケースの墨室開口部の一側に設けた係止凹凸部同士を、スナップ的に係合することによって蓋を密閉するようになっており、蓋の自由端部には、蓋を開放する際に手指を掛けるための指掛け突起が、本体より突出して設けられている（上記特許文献の第２図、符号２２の引き出し線部分参照）。したがって、墨壷の携帯時等に、前記指掛け突起が、他の工具に引っ掛かったりすると、蓋が不用意に開いて、墨汁が流出してしまうおそれがあった。
【０００６】
本発明は、上記のような問題に鑑みてなされたもので、その技術的課題とするところは、蓋の開閉操作が容易で、しかも蓋の不用意な開放を防止した墨室開閉構造を有する墨壷を提供することにある。
【０００７】
【課題を解決するための手段】
上述した技術的課題を有効に解決するための手段として、請求項１の発明に係る墨壷の墨室開閉構造は、ケース内に糸巻及び墨室を有し、墨打ち糸が前記糸巻から前記墨室内の墨汁浸透部材を通って外部へ導出される墨壷において、前記ケースに開設された前記墨室の開口部を開閉する蓋が、前記ケースに、前記蓋と前記開口部との間を密封するパッキンの圧縮方向と略直交する方向へ往復動可能に結合した結合部を支点として、円運動可能に結合され、前記蓋を前記開口部に対する閉塞状態で前記結合部の可動方向へ変位させることにより、前記蓋の自由端部側に設けられた被係止部が、前記ケース側に設けられた係止部と係合又は係合解除されるものである。この構成においては、前記被係止部と係止部は、前記パッキンの圧縮反力によって互いに圧接し、係止状態が維持される。
【０００８】
また、請求項２の発明に係る墨壷の墨室開閉構造は、請求項１に記載の構成において、蓋の結合部がケースにおける糸繰り出し端部側に偏在し、係止部が前記ケースにおける糸巻側に偏在するものである。
【０００９】
【発明の実施の形態】
図１は本発明の好ましい実施の形態を示す墨壷の平面図、図２は底面図、図３は正面図、図４は一部断面を表す背面図、図５は図１のＶ−Ｖ線に沿って切断した断面図、図６は図５のＶＩ−ＶＩ線に沿って切断した断面図である。図１、図２及び図５に示されるように、本形態の墨壷は、ケース１と、このケース１に回転自在に収納された糸巻２と、糸巻２に巻回された墨打ち糸３と、糸巻２に設けられたばねチャージ部４と、ケース１の墨室１１１に収納された墨汁浸透部材５と、墨打ち糸３の先端に繋着されたかるこ６を備える。
【００１０】
ケース１は、図１及び図２に示されるように、前方が筒状の墨室形成部１１Ａ、後方が糸巻収納部１１Ｂとなっているケース本体１１と、墨室形成部１１Ａの先端に接合されたトップ部材１２と、墨室形成部１１Ａの上部に設けられた蓋１３と、皿状をなす糸巻収納部１１Ｂの上部開口に着脱自在に設けられたリング蓋１４とからなる。
【００１１】
ケース本体１１は合成樹脂材で成形されたものであって、その墨室形成部１１Ａ内には、図５に示されるように、墨汁浸透部材５が充填される墨室１１１が形成されており、墨室１１１と糸巻収納部１１Ｂとの間の仕切壁１１２に開設された円形孔には、軟質合成樹脂からなる糸挿通管１５と、それよりも糸巻収納部１１Ｂ側（以下、後方という）に位置するゴム材からなるシール板１６と、更にその後方に位置する一対の金属製ガイドピン１７（図５では１本のみ示される）が固定されている。糸挿通管１５は、一端が墨室１１１内へ突出しており、内径が墨打ち糸３よりも僅かに大径となっている。また、シール板１６には、墨打ち糸３が通ることのできる細いスリット（不図示）が形成されており、更に、一対のガイドピン１７は、墨打ち糸３が通ることのできる適当な間隔をもって互いに平行に固定されている。
【００１２】
トップ部材１２は耐摩耗性樹脂材で成形されたものであって、図５に示されるように、ケース本体１１における墨室形成部１１Ａの先端内周にパッキン１２ｄを介して挿入・固定され、内周に糸繰り出し口１２ａが形成されている。糸繰り出し口１２ａは、墨室１１１側の内端が墨打ち糸３とほぼ同径の細い円孔状をなすことによって、墨室１１１内の墨汁の流出を防止しており、その外側の開口縁である糸繰り出し端部１２ｂが、図３に示されるように扁平な漏斗状に広がって形成されている。
【００１３】
図７は、蓋１３の開閉動作を段階的に示す説明図である。この図７にも示されるように、蓋１３は、ケース１の墨室形成部１１Ａの上部壁面に開口した墨室１１１の開口部１１１ａを開閉するものであって、合成樹脂材で成形されている。
【００１４】
蓋１３における糸繰り出し端部１２ｂ側の端部には、ケース１の墨室形成部１１Ａ内での墨打ち糸３の繰り出し方向（以下、前後方向という）と略直交する方向（左右両側）へ突出した結合軸１３１が設けられている。結合軸１３１は、請求項１に記載された結合部に相当するものであって、ケース１のトップ部材１２に形成された一対の結合孔１２ｃに結合されている。結合孔１２ｃは前後方向へ細長く延びる長孔状に形成されており、結合軸１３１は、結合孔１２ｃ内をその長手方向、すなわち前後方向へ移動可能となっている。したがって蓋１３は、結合孔１２ｃ内の結合軸１３１の軸心の周りに円運動可能であると共に、前後方向へ往復移動可能となっている。
【００１５】
蓋１３における結合軸１３１と反対側の端部、すなわち自由端部には、請求項１に記載された被係止部に相当する被係止突起１３２と、蓋１３を手指で開閉操作するための操作端部１３３が形成されている。被係止突起１３２は、蓋１３を閉塞させた時にケース１の後方を向くように形成されている。
【００１６】
一方、ケース１の墨室形成部１１Ａの上面における糸巻収納部１１Ｂ側に偏在した位置には、請求項１に記載された係止部に相当する係止環１１３が形成されている。この係止環１１３は、墨室１１１の開口部１１１ａを閉塞した蓋１３を、図７（Ｂ）に示される状態から後方へ移動することによって、図７（Ａ）に示されるように、被係止突起１３２を挿入して係止することができ、蓋１３を閉塞状態に固定するものである。
【００１７】
蓋１３の結合軸１３１と被係止突起１３２との間の下面には、ゴム製のパッキン１３４が周設されている。このパッキン１３４は、図７（Ａ）に示されるように、被係止突起１３２を係止環１１３に係止することによって蓋１３を閉塞状態に固定した時に、墨室１１１の開口部１１１ａの外周上面に適宜圧縮状態で密接され、墨室１１１内の墨汁の漏れを防止するものである。また、このときのパッキン１３４の圧縮反力は、係止環１１３に対する被係止突起１３２の係止状態を維持する圧接力として作用する。
【００１８】
蓋１３の中央部に開設された円形孔には、ゴム材からなるキャップ状の弾性封口体１３５が密嵌されており、この弾性封口体１３５の内面には合成樹脂材からなる押圧部材１３６が取り付けられている。そして、被係止突起１３２を係止環１１３に挿入係止することによって蓋１３を閉じた状態では、押圧部材１３６は、墨室１１１における墨打ち糸３の繰り出し経路の真上に位置しており、弾性封口体１３５を手指で押して凹ませることによって、押圧部材１３６が下方変位して、墨打ち糸３と墨汁の浸透した墨汁浸透部材５とを強制的に押し付け、墨打ち糸３に墨汁を十分に付着させるものである。手指による押し付けを解除すれば、押圧部材１３６は、弾性封口体１３５の復元力によって復帰動作される。なお、蓋１３における円形孔の周囲は凹部１３ａとなっており、弾性封口体１３５は、この凹部１３ａに収まっている。
【００１９】
なお、図３及び図６に示されるように、蓋１３は、墨室１１１の開口部１１１ａを閉塞した状態では、ケース１（ケース本体１１）における墨室形成部１１Ａの上面に形成された凹部１１４内に嵌め込まれ、すなわちケース本体１１の外側へ突出しないようになっている。またこのとき、蓋１３に設けられた弾性封口体１３５も、ケース本体１１の外周面を延長した仮想円筒面内に位置している。
【００２０】
リング蓋１４は、糸巻２をケース本体１１における糸巻収納部１１Ｂ内に回転自在に保持するものであって、図１、図４及び図５に示されるように、後端に形成された掛合部１４ａと、図２、図３及び図４に示されるように、墨室形成部１１Ａの左右両側と対応する位置に形成された一対のスナップ爪１４ｂとを有する。そして、このリング蓋１４は、掛合部１４ａを、糸巻収納部１１Ｂの後端に突設された被掛合部１１５と掛合すると共に、一対のスナップ爪１４ｂを、糸巻収納部１１Ｂの外側面に形成された一対の被掛合凹部１１６に、それぞれスナップ掛合させることによって、糸巻収納部１１Ｂの上部に固定される。また、糸巻収納部１１Ｂとリング蓋１４との衝合面間には、ゴム材からなるパッキン１１Ｃが介在されている。
【００２１】
糸巻２は、図５に示されるように、外周に墨打ち糸３を巻回する糸巻本体２１と、この糸巻本体２１の内周のばねケース２１ａ内に収納されて一端が糸巻本体２１に固定されると共に他端が後述するばね芯４１に固定されて糸巻本体２１を墨打ち糸３の巻き取り方向に付勢する渦巻きばね２２と、糸巻本体２１の軸方向一側に形成されリング蓋１４の内周から外部へ露出した巻き取りハンドル２３とからなり、巻き取りハンドル２３の外側面には、手指で回転操作するための複数の指掛け凹部２３ａが形成されている。これらの部材は合成樹脂材で成形されており、糸巻２は、リング蓋１４をケース本体１１の糸巻収納部１１Ｂから取り外すことによって、この糸巻収納部１１Ｂ内から取り出すことができる。
【００２２】
ばねチャージ部４は、図５に示されるように、糸巻２の糸巻本体２１の内周に同心的かつ相対回転可能な状態に組み込まれたばね芯４１と、ケース１の糸巻収納部１１Ｂの下面にばね芯４１と同心的に配置されたチャージハンドル４２と、糸巻収納部１１Ｂの底壁の軸孔に挿通されたチャージハンドル４２の中心軸にビス４３で固定されると共にばね芯４１のクラッチ盤４１ａに対してばねチャージ方向にのみ係合するクラッチ部材４４とを備え、図２に示されるように、チャージハンドル４２の外側面には、手指で回転操作するための指掛け凹部４２ａが形成されている。
【００２３】
チャージハンドル４２の外周近傍における円周方向１箇所には、係止ピン４５が軸方向移動自在かつ抜け止めされた状態で挿通されており、この係止ピン４５は、コイルスプリング４６によって、常時没入方向すなわち糸巻収納部１１Ｂの下面へ向けて付勢されている。一方、糸巻収納部１１Ｂの下面には、チャージハンドル４２をその中心軸の周りに回転させた時の、係止ピン４５の軌跡と対応する円弧状に延び、糸巻２の巻き取り方向と反対の方向、言い換えれば渦巻きばね２２を弛緩させる方向の端部へ向かって漸次深くなるスパイラル面（不図示）が形成されている。
【００２４】
糸巻２の糸巻本体２１から繰り出される墨打ち糸３は、一対のガイドピン１７の間から、シール板１６に形成したスリット（不図示）及び糸挿通管１５を通って、墨室１１１内の墨汁浸透部材５との接触により墨汁を付着され、トップ部材１２の糸繰り出し口１２ａからケース１の外部へ導出される。墨室１１１内の墨汁浸透部材５は、綿あるいはフェルト等を墨汁の浸透可能な保護シートでくるんだ墨綿や、その上に配置されたスポンジ等からなる。また、糸挿通管１５及びシール板１６は、墨室１１１内の墨汁浸透部材５に沁み込ませた墨汁が糸巻収納部１１Ｂ内へ流出するのを防止する作用を有する。
【００２５】
かるこ６は、図１、図２及び図５に示されるように、合成樹脂材で成形された柄６１と、この柄６１にインサート成形によって基部が埋設状態に固定された金属製の刺着針６２と、この刺着針６２の外周を包囲する合成樹脂製の保護材６３とからなる。柄６１は扁平な形状に形成されており、刺着針６２側の端部及び保護材６３は、墨打ち糸３を完全に糸巻本体２１に巻き取った状態において、トップ部材１２の漏斗状の糸繰り出し口１２ａに挿入された状態に掛止されるようになっている。また、刺着針６２はその尖端部のみが保護材６３の先端から突出している。
【００２６】
なお、図２における参照符号７は、糸通し具である。この糸通し具７は、例えば墨打ち糸３が切れた場合に、渦巻きばね２２の付勢力によって糸巻本体２１に巻き取られた墨打ち糸３の端部を、再びかるこ６に結び付けるために、ガイドピン１７の間、シール板１６のスリット、糸挿通管１５、墨室１１１、及び糸繰り出し口１２ａを通してケース１の外部へ導出させるのに使用されるもので、細長い形状に形成されている。ケース本体１１の糸巻収納部１１Ｂの下面には、チャージハンドル４２の外周側に位置して円弧状に延びる係止溝１１７が形成されており、糸通し具７は、係止溝１１７内に、この溝１１７に倣った円弧状に湾曲させた状態で係止されている。
【００２７】
上述の構成を有する墨壷を用いて、墨打ち作業を行う場合は、まず、かるこ６の刺着針６２を墨打ち対象面（不図示）における墨打ちの一方の起点に刺着してから、ケース１を他方の起点へ向けて移動させることによって、糸巻２の糸巻本体２１に巻かれた墨打ち糸３を、ケース１の移動距離分だけ繰り出す。墨打ち糸３には、墨室１１１内を通って繰り出される過程で、墨汁を染み込ませた墨汁浸透部材５に接触することによって、墨汁が付着する。ここで、ばねチャージ部４は、一種のワンウェイクラッチを構成するものであるため、墨打ち糸３の繰り出しに伴って、糸巻本体２１が墨打ち糸３の繰り出し方向へ回転されるのに対し、同方向へのばね芯４１の回転が阻止され、渦巻きばね２２がばね芯４１に巻き込まれてチャージ（蓄勢）される。
【００２８】
ケース１を墨打ちの他方の起点まで移動させたら、このケース１のトップ部材１２の糸繰り出し端部１２ｂで墨打ち糸３を押止することによって、墨打ち糸３をかるこ６との間に張設する。そして、張設した墨打ち糸３に適当なテンションを与え、これを墨打ち対象面に向けて指ではじいて打ち付けることによって、直線状の墨線を転写することができる。
【００２９】
墨打ち作業終了後は、かるこ６を墨打ち対象面から引き抜けば、墨打ち糸３の繰り出し過程でチャージされた渦巻きばね２２によって、糸巻２が巻き取り方向に回転するため、墨打ち糸３は、かるこ６がトップ部材１２の糸繰り出し口１２ａに半収納状態に係止されるまで、糸巻本体２１に自動的に巻き取られる。
【００３０】
墨室１１１内の墨汁浸透部材５に浸透保持された墨汁の量が、墨打ち作業の繰り返し等によってある程度少なくなった場合は、墨打ち糸３を繰り出す際に、ケース１を掴んでいる手の指で弾性封口体１３５を押圧すれば、この弾性封口体１３５に結合された押圧部材１３６が下方変位して、墨室１１１内を通る墨打ち糸３と墨汁浸透部材５とを強制的に押し付けるため、墨打ち糸３に墨汁を十分に付着させることができる。しかし、このようにしても墨打ち糸３への墨汁の十分な付着量が得られなくなった場合は、蓋１３を開き、墨室１１１内の墨汁浸透部材５に墨汁を補充する。
【００３１】
蓋１３を開くには、まず図７（Ａ）に示される閉塞状態から、手指（普通は拇指）で、蓋１３の自由端部に形成された操作端部１３３を、パッキン１３４の圧縮方向すなわちケース本体１１側へ押圧しながら前方へ押し出せば、図７（Ｂ）に示されるように、結合軸１３１が結合孔１２ｃの前端位置に達するまで蓋１３が前進移動する過程で、被係止突起１３２がケース本体１１側の係止環１１３から抜け出し、係止状態が解除される。したがって、あとは図７（Ｃ）に示されるように、蓋１３を、結合孔１２ｃ内の結合軸１３１を支点として円運動させて開くことができる。
【００３２】
墨室１１１内の墨汁浸透部材５に墨汁を補充し終わったら、上述の操作とは逆に、図７（Ｃ）に示される開放状態から、蓋１３を、結合軸１３１を支点として円運動させることによって、図７（Ｂ）に示されるように閉じ、次に手指（普通は拇指）で、蓋１３の操作端部１３３を、パッキン１３４の圧縮方向すなわちケース本体１１側へ押圧しながら後方へ引き込めば、図７（Ａ）に示されるように、結合軸１３１が結合孔１２ｃの後端位置に達するまで蓋１３が後退移動する過程で、被係止突起１３２が係止環１１３へ挿入される。そして、操作端部１３３への手指の押圧を解除すれぱ、パッキン１３４の圧縮反力によって、被係止突起１３２が係止環１１３に圧接されるので、両者が互いに係止状態となり、蓋１３が墨室１１１を密閉した状態に固定される。
【００３３】
上述した蓋１３の開閉操作は片手で行うことができ、持ち替えたりする必要がない。しかも墨壷は、通常、糸繰り出し端部１２ｂが前を向くように持って用いられるものであり、蓋１３の操作端部１３３が後方（糸巻収納部１１Ｂ側）を向いているため、ケース１を掴んでいるほうの手の指だけで容易・迅速に開閉することができる。
【００３４】
また、蓋１３の操作端部１３３は、手指でケース本体１１側へ押圧しながら蓋１３を前後へスライド移動させることが可能な形状であれば良く、手指で引っ掛けたりあるいは摘んだりすることが可能な突出形状とする必要はない。したがって、例えば建築作業者が腰に装着する道具袋（いわゆる釘袋）内で、他の工具等に操作端部１３３が干渉して、不用意に蓋１３が開いてしまうようなことも防止できる。
【００３５】
なお、上述した実施の形態においては、渦巻きばねによる自動巻き取り方式の墨壷に、本発明の墨室開閉構造を適用したものについて説明したが、本発明は、手動巻き取り方式の墨壷についても、同様に実施することができる。また、蓋１３の閉塞状態において墨室１１１の開口部１１１ａをシールすると共に、被係止突起１３２と係止環１１３との係合力を付与するパッキン１３４は、開口部１１１ａの外周に設けても良い。
【００３６】
【発明の効果】
請求項１の発明に係る墨壷の墨室開閉構造によれば、ケースに開設された墨室の開口部を開閉する蓋が、閉塞状態で結合部の可動方向一方へ変位させることによって、蓋と開口部の間を密封するパッキンの反力を利用して閉塞状態に固定され、反対方向へ変位させることによって固定が解除されるものであるため、開閉操作を片手で容易に行うことができ、しかも手指で引っ掛けたり摘んだりするための突起を形成する必要がないので、蓋が不用意に開いてしまうようなことも防止することができる。
【００３７】
請求項２の発明に係る墨壷の墨室開閉構造によれば、請求項１に記載された蓋の結合部がケースにおける糸繰り出し端部側に偏在し、係止部が前記ケースにおける糸巻側に偏在するため、ケースを持つほうの手だけで蓋の開閉を行うことができ、使い勝手を一層向上することができる。
【図面の簡単な説明】
【図１】本発明に係る墨室開閉構造を適用した好ましい実施の形態を示す墨壷の平面図である。
【図２】上記墨壷の底面図である。
【図３】上記墨壷の正面図である。
【図４】上記墨壷の一部断面を表す背面図である。
【図５】図１のＶ−Ｖ線に沿って切断した断面図である。
【図６】図５のＶＩ−ＶＩ線に沿って切断した断面図である。
【図７】本発明に係る墨室開閉構造による蓋の開閉動作を段階的に示す説明図である。
【符号の説明】
１  ケース
１１  ケース本体
１１１  墨室
１１１ａ  開口部
１１３  係止環（係止部）
１２  トップ部材
１２ａ  糸繰り出し口
１２ｂ  糸繰り出し端部
１２ｃ  結合孔
１３  蓋
１３１  結合軸（結合部）
１３２  被係止突起（被係止部）
１３３  操作端部
１３４  パッキン
２  糸巻
３  墨打ち糸
５  墨汁浸透部材
【図１】
2004230493.tif 000003
【図２】
2004230493.tif 000004
【図３】
2004230493.tif 000005
【図４】
2004230493.tif 000006
【図５】
2004230493.tif 000007
【図６】
2004230493.tif 000008
【図７】
2004230493.tif 000009
【手続補正書】
【提出日】平成15年2月26日(2003.2.26)
【手続補正１】
【補正対象書類名】図面
【補正対象項目名】全図
【補正方法】変更
【補正の内容】
【図１】
2004230493.tif 000010
【図２】
2004230493.tif 000011
【図３】
2004230493.tif 000012
【図４】
2004230493.tif 000013
【図５】
2004230493.tif 000014
【図６】
2004230493.tif 000015
【図７】
2004230493.tif 000016